(57)【特許請求の範囲】
【請求項１】
先端に係止部を有する帯状のバンド部を備えるとともに、そのバンド部の基端が連結され、該バンド部の先端を挿通した状態で前記係止部と係合する係合部と、種々の電気部品が装着される部品装着部と、前記電気部品に接続される電線が装着される電線装着部とを有するブロック本体を備え、前記係止部を前記係合部に係合することにより、前記バンド部によって前記電気部品に接続される電線を結束した状態で保持する電気接続箱において、
前記バンド部は、同バンド部の幅方向に屈曲した屈曲部と、その屈曲部から前記ブロック本体におけるバンド部との連結面に対して垂直方向に延びる基端部と、該屈曲部から先端側に延びる先端部とを有し、
前記屈曲部における屈曲角度を、前記基端部の中心線と前記係合部の中心線とがなす角度と等しくなるように設定するとともに、前記屈曲部における屈曲箇所から前記ブロック本体におけるバンド部との連結箇所までの距離を、前記基端部の中心線と前記係合部の中心線との交点から該連結箇所までの距離よりも長くなるように設定したことを特徴とする電気接続箱。
【請求項２】
前記バンド部は、同バンド部の厚さよりも薄肉に設定されたヒンジ部を有することを特徴とする請求項１に記載の電気接続箱。
【請求項３】
前記バンド部の先端から基端方向に所定距離離間した箇所には、前記バンド部の先端を前記係合部に所定量挿通させた際に前記係合部の挿通口縁に当接するストッパ部が設けられていることを特徴とする請求項１または請求項２に記載の電気接続箱。
【請求項４】
先端に係止部を有する帯状のバンド部を備えるとともに、そのバンド部の基端が連結され、該バンド部の先端を挿通した状態で前記係止部と係合する係合部と、種々の電気部品が装着される部品装着部と、前記電気部品に接続される電線が装着される電線装着部とを有するブロック本体を備え、前記係止部を前記係合部に係合することにより、前記バンド部によって前記電気部品に接続される電線を結束した状態で保持する電気接続箱において、
前記バンド部は、前記ブロック本体におけるバンド部との連結面に対して垂直方向に延び、同バンド部の厚さよりも薄肉に設定されたヒンジ部が、同バンド部の中心線に対して斜めに設けられ、該バンド部の中心線に対するヒンジ部の角度を、該バンド部の中心線と前記係合部の中心線とがなす角度と等しくなるように設定するとともに、前記ブロック本体におけるバンド部との連結箇所から前記ヒンジ部までの距離を、前記バンド部の中心線と前記係合部の中心線との交点から該連結箇所までの距離よりも長くなるように設定したことを特徴とする電気接続箱。
【発明の詳細な説明】
【０００１】
【発明の属する技術分野】
本発明は、例えば自動車等に搭載される電気接続箱に係り、詳しくは、電気部品や電気部品に接続される電線を収容するとともに、その電線を結束するバンド部を備える電気接続箱に関するものである。
【０００２】
【従来の技術】
一般に、例えば自動車用の種々の電気部品等は、電気接続箱に収容された状態で車両内に搭載される。電気部品には電線が接続されるものがあるため、電気接続箱にはそれら電線も収容される。そして、電気接続箱には、電線を結束するバンド部を備えたものがある。そこで、こうした電気接続箱の従来例を図１６〜図１８に従って説明する。
【０００３】
図１６に示すように、電気接続箱５１は、ブロック本体５２とバンド部５３とを備えている。ブロック本体５２には、種々の電気部品を装着可能な部品装着部５４が形成されている。また、バンド部５３は真っ直ぐに延びた帯状をなし、基端がブロック本体５２の側面に一体に形成されている。これにより、バンド部５３は、ブロック本体５２の側面に対して垂直方向に延びた状態となっている。
【０００４】
ブロック本体５２には、バンド部５３の先端を挿通した状態で同バンド部５３と係合可能な係合部５５が形成されている。係合部５５は、図１８に示すように、ブロック本体の裏面側から部品取付面側に貫通する貫通孔５５ａを有し、同貫通孔５５ａ内には、係合突部５５ｂが形成されている。また、バンド部５３の先端部付近には、係合突部５５ｂと係合可能な複数の凹部５３ａが凹設されている。このため、バンド部５３を貫通孔５５ａ内に挿通させると、凹部５３ａと係合突部５５ｂとが係合し、バンド部５３の先端が係合部５５内に保持される。
【０００５】
このように構成された電気接続箱５１においては、図１７に示すように、ブロック本体５２の裏面側に複数の電線５６が装着される。各電線５６は、部品装着部５４に装着された電気部品の接続端子と接続されており、所定方向に引き出されている。そして、図１８にも併せ示すように、バンド部５３を係合部５５に係合させることにより、各電線５６がバンド部５３によって結束される。このため、各電線５６の引出し方向がバンド部５３によって規制される。
【０００６】
【発明が解決しようとする課題】
ところで、図１７に示すように、バンド部５３を基端部から折り返したときには先端が同バンド部５３の中心線の延長線上に位置する。このため、前記係合部５５も同様に、ブロック本体５２におけるバンド部５３の中心線の延長線上に形成する必要がある。つまり、バンド部５３の中心線の延長線上以外の箇所に係合部５５を形成すると、バンド部５３を係合部５５に係合させた際にバンド部５３が捻れてしまう。このため、バンド部５３の基端部に捻れた力が加わってしまい、バンド部５３の強度が低下してしまう。
【０００７】
よって、係合部５５を形成すべき箇所に部品装着部５４を形成することが望ましい場合には、バンド部５３の形成位置を変更することでしか対応することができなかった。しかしながら、バンド部５３の形成位置を変更できないときには、部品装着部５４の形成位置を変更するか、バンド部５３の中心線の延長線上以外の箇所に係合部５５を形成して対応せざるを得なかった。
【０００８】
したがって、従来の電気接続箱５１では、バンド部５３の形成位置、部品装着部５４の形成位置及び係合部５５の形成位置の設定に制限があった。
本発明はこうした実情に鑑みてなされたものであり、その目的は、電線を結束するバンド部を備える電気接続箱にあって、バンド部の強度低下を防止し、且つ同バンド部の形成位置を変更することなく同バンド部の結束方向を自由に設定することができる電気接続箱を提供することにある。
【０００９】
【課題を解決するための手段】
上記の課題を解決するために、請求項１に記載の発明では、先端に係止部を有する帯状のバンド部を備えるとともに、そのバンド部の基端が連結され、該バンド部の先端を挿通した状態で前記係止部と係合する係合部と、種々の電気部品が装着される部品装着部と、前記電気部品に接続される電線が装着される電線装着部とを有するブロック本体を備え、前記係止部を前記係合部に係合することにより、前記バンド部によって前記電気部品に接続される電線を結束した状態で保持する電気接続箱において、前記バンド部は、同バンド部の幅方向に屈曲した屈曲部と、その屈曲部から前記ブロック本体におけるバンド部との連結面に対して垂直方向に延びる基端部と、該屈曲部から先端側に延びる先端部とを有し、前記屈曲部における屈曲角度を、前記基端部の中心線と前記係合部の中心線とがなす角度と等しくなるように設定するとともに、前記屈曲部における屈曲箇所から前記ブロック本体におけるバンド部との連結箇所までの距離を、前記基端部の中心線と前記係合部の中心線との交点から該連結箇所までの距離よりも長くなるように設定したことを要旨とする。
【００１１】
請求項２に記載の発明では、請求項１に記載の電気接続箱において、前記バンド部は、同バンド部の厚さよりも薄肉に設定されたヒンジ部を有することを要旨とする。
【００１２】
請求項３に記載の発明では、請求項１または請求項２に記載の電気接続箱において、前記バンド部の先端から基端方向に所定距離離間した箇所には、前記バンド部の先端を前記係合部に所定量挿通させた際に前記係合部の挿通口縁に当接するストッパ部が設けられていることを要旨とする。
【００１３】
請求項４に記載の発明では、先端に係止部を有する帯状のバンド部を備えるとともに、そのバンド部の基端が連結され、該バンド部の先端を挿通した状態で前記係止部と係合する係合部と、種々の電気部品が装着される部品装着部と、前記電気部品に接続される電線が装着される電線装着部とを有するブロック本体を備え、前記係止部を前記係合部に係合することにより、前記バンド部によって前記電気部品に接続される電線を結束した状態で保持する電気接続箱において、前記バンド部は、前記ブロック本体におけるバンド部との連結面に対して垂直方向に延び、同バンド部の厚さよりも薄肉に設定されたヒンジ部が、同バンド部の中心線に対して斜めに設けられ、該バンド部の中心線に対するヒンジ部の角度を、該バンド部の中心線と前記係合部の中心線とがなす角度と等しくなるように設定するとともに、前記ブロック本体におけるバンド部との連結箇所から前記ヒンジ部までの距離を、前記バンド部の中心線と前記係合部の中心線との交点から該連結箇所までの距離よりも長くなるように設定したことを要旨とする。
【００１４】
以下、本発明の「作用」について説明する。
請求項１に記載の発明によると、バンド部には屈曲部が設けられているため、バンド部の先端部は、基端部に対して所定角度屈曲した状態となる。よって、屈曲部の屈曲角度を変更することにより、バンド部を基端から捻れることなくブロック本体側に折り返した際にブロック本体に到達する先端の位置を、任意に変更可能となる。すなわち、先端部の屈曲角度に応じて、バンド部の結束方向が決定される。よって、バンド部の形成位置を変更することなく、同バンド部の結束方向を自由に設定可能となる。つまり、バンド部の係止部と係合する係合部の形成位置もそれに合わせて自由に設定可能となる。したがって、部品装着部に干渉しない位置に係合部を設けることができ、バンド部の形成位置、部品装着部の形成位置及び係合部の形成位置を自由に設定することが可能となる。また、バンド部が捻れにくくなるため、同バンド部の強度低下も防止される。
【００１５】
しかも、屈曲部の屈曲角度は、基端部の中心線と係合部の中心線とがなす角度と等しくなるように設定されている。このため、バンド部を係合部に係合させた際に、バンド部がより捻れにくくなる。よって、バンド部の強度低下が確実に防止される。
【００１６】
請求項２に記載の発明によると、バンド部を係合部に係合させるべく同バンド部をブロック本体側に折り返した際に、バンド部はヒンジ部を基点として折り返される。このため、バンド部とブロック本体とによって形成される閉ループの形状が変化する。例えばヒンジ部をバンド部の基端に設けた場合には、バンド部をブロック本体側に折り返した際に、バンド部がブロック本体の側面の外側に膨らまなくなる。よって、ブロック本体の裏面にカバーを組み付ける際に、バンド部が邪魔にならなくなる。また、例えばヒンジ部をバンド部の途中箇所にそれぞれ離間するように２つ設けた場合には、バンド部とブロック本体とによって形成される閉ループの形状が略長方形状となる。よって、高さ方向にバンド部が突出しすぎることがなくなる。
【００１７】
請求項３に記載の発明によると、ストッパ部により、バンド部を係合部に係合させた際に、バンド部が係合部内に入り込み過ぎないようになる。このため、バンド部によって結束保持された電線に過剰な緊締力が加わってしまうことが防止される。
【００１８】
請求項４に記載の発明によると、ヒンジ部は、バンド部が延びる方向に対して斜めに設けられているため、ヒンジ部を基点としてバンド部を屈曲させると、バンド部の先端は、バンド部が延びる方向とは異なる方向に向く。よって、バンド部が延びる方向に対するヒンジ部の角度を変更することにより、バンド部をヒンジ部にて屈曲した状態で基端から捻れることなくブロック本体側に折り返した際に、ブロック本体に到達するバンド部の先端の位置を、任意に変更可能となる。すなわち、バンド部が延びる方向に対するヒンジ部の角度に応じて、バンド部の結束方向が決定される。よって、バンド部の形成位置を変更することなく、同バンド部の結束方向を自由に設定可能となる。つまり、バンド部の係止部と係合する係合部の形成位置もそれに合わせて自由に設定可能となる。したがって、部品装着部に干渉しない位置に係合部を設けることができ、バンド部の形成位置、部品装着部の形成位置及び係合部の形成位置を自由に設定することが可能となる。
また、バンド部が捻れにくくなるため、同バンド部の強度低下も防止される。
【００１９】
【発明の実施の形態】
（第１実施形態）
以下、本発明を具体化した第１実施形態を図１〜図１０に基づき詳細に説明する。
【００２０】
図１〜図３に示すように、電気接続箱１は合成樹脂によって構成され、ブロック本体２とバンド部３とを備えている。
ブロック本体２の一面（図１における上面）には、リレー、ヒューズ、ヒュージブルリンク等の種々の電気部品を装着可能な複数の部品装着部１１が形成されている。よって、同面が部品取付面２ａとなっている。図３に示すように、ブロック本体２の裏面（図１における下面）には、電気部品の接続端子と接続される電線を装着可能な複数の電線装着部１２が形成されている。
【００２１】
また、ブロック本体２の所定箇所には、バンド部３を挿通させた状態で係合可能な係合部１３が形成されている。図６（ｂ）及び図７に示すように、係合部１３は、部品取付面２ａ側から裏面側に貫通する貫通孔１３ａを有している。この貫通孔１３ａは、バンド部３を挿通可能に設定されている。同貫通孔１３ａの内壁面には、係合突部１３ｂが形成されている。係合突部１３ｂは、図６（ｂ）に矢印Ｆで示す方向に弾性変形可能となっている。
【００２２】
バンド部３は、細長い平板からなる帯状をなし、基端がブロック本体２の側面２ｂに一体に形成されている。また、バンド部３は、バンド部３の幅方向に屈曲した屈曲部９と、屈曲部９の基端側において側面２ｂに対して垂直方向に延びる基端部４と、屈曲部９の先端側に延びる先端部５とを備えている。このため、バンド部３は、全体として略「く」字状をなしている。
【００２３】
図４（ａ）に示すように、屈曲部９の屈曲角度、すなわち基端部４の中心線と先端部５の中心線とがなす角度θ１は、基端部４の中心線と前記係合部１３の中心線Ｏとがなす角度θ２と同じ角度となるように設定されている。また、基端部４とブロック本体２との連結箇所（ブロック本体２の側面２ｂ）から屈曲部９までの距離Ｌ１は、基端部４の中心線と係合部１３の中心線との交点から該連結箇所までの距離Ｌ２よりも長くなるように設定されている。なお、図４（ｂ）に示すように、係合部１３の中心線Ｏとは、バンド部３を係合部１３に係合させたときにおけるバンド部３の厚さ方向と平行をなす線分である。また、屈曲部９は、滑らかなカーブ形状となっている。さらに、本実施形態においてバンド部３は、図４に２点鎖線で示すように、ブロック本体２の１つの側面２ｃの延長線と他の側面２ｄの延長線とを結んだ内側の領域Ａ１内に収まるように形成されている。
【００２４】
図３、図５及び図７に示すように、先端部５の裏面には、係止部としての複数の凹部６が凹設されている。各凹部６は平面視で略長方形状をなし、前記係合部１３の係合突部１３ｂと係合可能に設定されている。これら凹部６は、先端部５の延びる方向に沿って等間隔に設けられている。
【００２５】
また、図５に示すように、先端部５の先端から基端に向かって所定距離Ｌ１離間した箇所には、同先端部５の幅方向において両側にそれぞれ突出する突片７が形成されている。これら突片７は、バンド部３を係合部１３に距離Ｌ１分挿通させたときに、係合部１３の挿通口縁に当接するようになっている。すなわち、係合部１３には、距離Ｌ１分しかバンド部３を挿通できないようになっている。よって、各突片７は、係合部１３に対するバンド部３の挿通量を規制するストッパ部として機能する。なお、本実施形態において前記所定距離Ｌ１は、図７（ａ）に示すように、係合部１３から部品取付面２ａ側に突出するバンド部３の先端が近隣にある部品装着部１１の部品装着面１１ａから突出しない位置で、各突片７が係合部１３の挿通口縁に当接する距離となるように設定されている。
【００２６】
また、図６（ａ）に示すように、バンド部３におけるブロック本体２との接続箇所には、バンド部３よりも薄肉に設定されたヒンジ部８が形成されている。このため、バンド部３は、ヒンジ部８を基点とした折り返しが可能となっている。
【００２７】
なお、本実施形態においては、ブロック本体２の部品取付面２ａ側に同取付面２ａ全体を覆うアッパーカバー（図示略）が取付けられ、ブロック本体２の裏面側に同裏面全体を覆うロアカバー（図示略）が取り付けられる。
【００２８】
このように構成された電気接続箱１においては、図８に示すように、各電線装着部１２内に電線１４を装着し、各電線１４を所定方向（図８においては左方）に引き出す。そして、ヒンジ部８を基点としてバンド部３をブロック本体２の裏面側に折り返し、そのままバンド部３全体を湾曲させて、バンド部３を係合部１３に係合させる。詳しくは、図７及び図９に示すように、バンド部３の先端を係合部１３の貫通孔１３ａ内に挿通させる。すると、バンド部３の各凹部６のうちのいずれかが係合部１３の係合突部１３ｂに係合し、バンド部３が係合部１３に係合する。これにより、バンド部３が係合部１３から抜けだし不能となり、図９（ａ）に示すように、バンド部３とブロック本体２との間に各電線１４が挟み込まれた状態となる。つまり、バンド部３とブロック本体２との閉ループに各電線１４が結束保持される。
【００２９】
したがって、本実施形態によれば以下のような効果を得ることができる。
（１）バンド部３は、基端部４の中心線に対して所定角度θ１だけ屈曲した方向に延びている。このため、捻れが生じないようにバンド部３をブロック本体２の裏面側に折り返した際には、同バンド部３の先端の位置が角度θ１によって決定される。すなわち、角度θ１により、バンド部３の結束方向が決定される。よって、角度θ１を適宜変更することにより、バンド部３とブロック本体２との接続位置を変更することなくバンド部３の結束方向を変更することができる。つまり、係合部１３の形成位置もそれに合わせて自由に設定可能となる。したがって、部品装着部１１及び電線装着部１２に干渉しない位置に係合部１３を設けることができ、バンド部３の形成位置、部品装着部１１及び電線装着部１２の形成位置及び係合部１３の形成位置を自由に設定することが可能となる。しかも、バンド部３に捻れが生じないため、同バンド部３の強度低下も防止することができる。
【００３０】
（２）バンド部３の先端部５は、基端部４の中心線に対して所定角度θ１だけ屈曲した方向に延びている。また、この角度θ１は、基端部４の中心線と係合部１３の中心線とがなす角度θ２と同じ角度に設定されている。さらに、基端部４とブロック本体２との連結箇所（ブロック本体２の側面２ｂ）から屈曲部９までの距離Ｌ１は、基端部４の中心線と係合部１３の中心線との交点から該連結箇所までの距離Ｌ２よりも長くなるように設定されている。このため、捻れが生じないようにバンド部３をブロック本体２の裏面側に折り返した際には、バンド部３とブロック本体２との間に電線１４の結束スペースが確保された状態（図９参照）で、バンド部３の先端位置と係合部１３の位置とが一致する。換言すれば、バンド部３を係合部１３に係合させた際に、バンド部３には確実に捻れが生じない。よって、バンド部３の強度低下を確実に防止することができる。
【００３１】
（３）バンド部３の基端部４は、ブロック本体２の側面２ｂに対して垂直方向に延びている。このため、図９（ｂ）に示すように、バンド部３にヒンジ部３が設けられていない場合には、バンド部３を係合部１３に係合させるべく同バンド部３をブロック本体２側に折り返した際に、バンド部３がブロック本体２の側面２ｂの外側に膨らんでしまう。よって、ブロック本体２に前記ロアカバーを組み付ける際にバンド部３が邪魔になってしまい、ロアカバーの組み付け性が悪くなる。これに対して、前記実施形態では、バンド部３の基端にヒンジ部８が形成されているため、バンド部３をブロック本体２側に折り返した際に、バンド部３は、まずヒンジ部８を基点として屈曲する。そして、ヒンジ部８が屈曲しきった後に、バンド部３全体が湾曲する。このため、図９（ａ）に示したように、バンド部３の基端部４は、ブロック本体２の部品取付面２ａに対してほぼ垂直方向に延びた状態となる。すなわち、バンド部３がブロック本体２の側面２ｂの外側に膨らまない。よって、ブロック本体２にロアカバーを組み付ける際に、バンド部３が邪魔にならない。したがって、ロアカバーの組み付け性の低下を防止することができる。
【００３２】
（４）係合部１３に対してバンド部３を所定量挿通させると、ストッパ部としての各突片７が係合部１３の挿通口縁に当接する。このため、バンド部３を係合部１３に係合させた際に、バンド部３が係合部１３内に入り込み過ぎないようになる。よって、バンド部３によって結束保持された電線１４に過剰な緊締力が加わり、電線１４が断線してしまうのを防止することができる。
【００３３】
（５）各突片７は、バンド部３を係合部１３に挿通させた際に、係合部１３から部品取付面２ａ側に突出するバンド部３の先端が近隣にある部品装着部１１の部品装着面１１ａから突出しない位置で、係合部１３の挿通口縁に当接する位置に形成されている。このため、例えば図１０に示すように、バンド部３の先端が部品装着部１１の部品装着面２ａよりも突出してしまい、同図に２点鎖線で示すように、電気部品１５の装着領域に干渉してしまうことがない。つまり、突片７により、バンド部３が電気部品１５の装着領域に干渉してしまうことを防止することができる。よって、バンド部３を係合部１３に係合させた後に電気部品１５を部品装着部１１に装着させる場合であっても、バンド部３を噛み込んでしまうことがない。それゆえ、電気部品１５が部品装着部１１に不完全な状態で装着されてしまうこともない。したがって、部品装着部１１に対する電気部品１５の不完全装着を防止することができる。
【００３４】
（６）ストッパ部としての突片７は、バンド部３の両側にそれぞれ突設されている。このため、係合部１３に対してバンド部３を最大限挿通させた際に、係合部１３の挿通口縁に突片７を確実に当接させることができる。また、バンド部３を係合部１３に挿通させるときの挿通力が各突片７に分散して加わるため、同挿通力に起因する突片７の変形や破損も防止することができる。
（第２実施形態）
次に、本発明を具体化した第２実施形態を図１１〜図１３に基づいて説明する。ここでは第１実施形態と相違する点を主に述べ、共通する点については同一部材番号を付すのみとしてその説明を省略する。
【００３５】
図１１及び図１２に示すように、本実施形態のバンド部３は、ブロック本体２の側面２ｂにおいて前記第１実施形態と同位置に形成されている。バンド部３は、基端部４の中心線及び先端部５の中心線が、ブロック本体２の側面２ｂに対して垂直となるように形成されている。すなわち、バンド部３全体が側面２ｂに対して垂直方向に延びた形状をなしている。そして、基端部４とブロック本体２との接続箇所に加えて、基端部４と先端部５との間にもヒンジ部２１が形成されている。換言すれば、バンド部３は、その途中位置にヒンジ部２１が形成され、同ヒンジ部２１よりも基端側が基端部４、同ヒンジ部２１よりも先端側が先端部５となっている。
【００３６】
図１２に示すように、ヒンジ部２１は、バンド部３が延びる方向（バンド部３の中心線）に対して斜めに形成されている。詳しくは、ヒンジ部２１はバンド部３の中心線に対して所定角度θ３の斜角を有するように形成されている。そして、この角度θ３は、バンド部３と係合部１３の中心線とがなす角度θ２と同じ角度となるように設定されている。また、基端部４とブロック本体２との連結箇所（ブロック本体２の側面２ｂ）からヒンジ部２１までの距離Ｌ３は、基端部４の中心線と係合部１３の中心線との交点から該連結箇所までの距離Ｌ２よりも長くなるように設定されている。このため、図１３に示すように、バンド部３を係合部１３に係合させたときには、前記第１実施形態と同等の位置にて電線１４が結束保持される。
【００３７】
したがって、本実施形態によれば、前記第１実施形態における上記（１）〜（６）に記載の効果に加えて、以下のような効果を得ることができる。
（７）ヒンジ部２１は、バンド部３が延びる方向に対して斜めに設けられている。このため、ヒンジ部２１を基点としてバンド部３を屈曲させると、バンド部の先端は、バンド部３が延びる方向とは異なる方向に向く。よって、捻れが生じないようにバンド部３をブロック本体２の裏面側に折り返した際には、同バンド部３の先端の位置が角度θ３によって決定される。すなわち、角度θ３により、バンド部３の結束方向が決定される。このため、角度θ３を適宜変更することにより、バンド部３とブロック本体２との接続位置を変更することなくバンド部３の結束方向を変更することができる。つまり、係合部１３の形成位置もそれに合わせて自由に設定可能となる。したがって、部品装着部１１及び電線装着部１２に干渉しない位置に係合部１３を設けることができ、バンド部３の形成位置、部品装着部１１及び電線装着部１２の形成位置及び係合部１３の形成位置を自由に設定することが可能となる。しかも、バンド部３に捻れが生じないため、同バンド部３の強度低下も防止することができる。
【００３８】
（８）ヒンジ部２１は、バンド部３の中心線に対して所定角度θ３だけ屈曲した方向に延びている。また、この角度θ３は、バンド部３の中心線と係合部１３の中心線とがなす角度θ２と同じ角度に設定されている。さらに、基端部４とブロック本体２との連結箇所（ブロック本体２の側面２ｂ）からヒンジ部２１までの距離Ｌ３は、基端部４の中心線と係合部１３の中心線との交点から該連結箇所までの距離Ｌ２よりも長くなるように設定されている。このため、捻れが生じないようにバンド部３をブロック本体２の裏面側に折り返した際には、バンド部３とブロック本体２との間に電線１４の結束スペースが確保された状態で、バンド部３の先端位置と係合部１３の位置とが一致する。換言すれば、バンド部３を係合部１３に係合させた際に、バンド部３には確実に捻れが生じない。よって、バンド部３の強度低下を確実に防止することができる。
【００３９】
なお、本発明の実施形態は以下のように変更してもよい。
・  前記各実施形態では、ストッパ部としての突片７は、バンド部３の両側において幅方向にそれぞれ突設されている。しかし、図１４に示すように、突片７は、バンド部３の両側において同バンド部３の平面に対して垂直方向に突設されてもよい。要は、係合部１３の挿通口縁に当接する形状であれば、突片７はどのように構成されていてもよい。
【００４０】
・  前記各実施形態において、各突片７は、バンド部３を係合部１３に挿通させた際に、係合部１３から部品取付面２ａ側に突出するバンド部３の先端が近隣にある部品装着部１１の部品装着面１１ａから突出しない位置で、係合部１３の挿通口縁に当接する位置に形成されている。しかし、各突片７の形成位置は、どのように設定されてもよい。
【００４１】
・  前記第１実施形態では、バンド部３の基端にヒンジ部８が形成されている。しかし、このヒンジ部８を、バンド部３の途中箇所に形成してもよい。また、ヒンジ部８は１個に限らず、複数個形成されてもよい。例えば、図１５に示すように、ヒンジ部８をバンド部３の途中箇所にそれぞれ離間するように２つ設けた場合には、バンド部３とブロック本体２とによって形成される閉ループの形状が略長方形状となる。よって、高さ方向にバンド部３が突出しすぎることがなくなる。したがって、このようにした場合には、電気接続箱１の高さを低くすることができる。
【００４２】
・  前記各実施形態において、ヒンジ部８を省略してもよい。また、突片７を省略してもよい。
・  前記第１実施形態のバンド部３の構成と、前記第２実施形態のバンド部３の構成とを組み合わせてもよい。すなわち、バンド部３を屈曲した形状で形成するとともに、基端部４と先端部５との間にヒンジ部２１を形成してもよい。
【００４３】
・  前記各実施形態では、バンド部３の係止部として凹部６を用いている。しかし、係止部は、凹部６に限らず、例えば突部であってもよい。
次に、特許請求の範囲に記載された技術的思想のほかに、前述した実施形態によって把握される技術的思想を以下に列挙する。
【００４４】
（１）  請求項２に記載の電気接続箱において、前記ヒンジ部は、少なくとも前記バンド部と前記ブロック本体との接続箇所に設けられていること。この技術的思想（１）に記載の発明によれば、バンド部が設けられたブロック本体の側面の外側に、同バンド部が突出してしまうのを防止することができる。
【００４５】
（２）  請求項４に記載の電気接続箱において、前記係合部は、前記ブロック本体における部品取付面側から裏面側に貫通する貫通孔を備え、前記バンド部は、前記ブロック本体の裏面側から前記貫通孔に挿通されることにより前記係合部に係合され、前記ストッパ部は、前記バンド部が前記係合部に係合された際に、前記部品取付面から突出する前記バンド部の先端が前記部品装着部における部品装着面から突出しない位置で、前記係合部の挿通口縁に当接する箇所に設けられていること。この技術的思想（２）に記載の発明によれば、部品装着部に対する電気部品の不完全装着を防止することができる。
【００４６】
（３）  帯状をなし、先端に係止部を有するバンド部を備えるとともに、そのバンド部の基端が連結され、該バンド部の先端を挿通した状態で前記係止部と係合する係合部と、種々の電気部品が装着される部品装着部と、前記電気部品に接続される電線が装着される電線装着部とを有するブロック本体を備え、前記係止部を前記係合部に係合することにより、前記バンド部によって前記電気部品に接続される電線を結束した状態で保持する電気接続箱において、前記バンド部は、前記ブロック本体におけるバンド部との連結面に対して垂直方向に延びるとともに、その途中箇所で、その垂直線に対して同バンド部の幅広面と同一平面上に所定角度屈曲した形状をなしていること。
【００４７】
【発明の効果】
以上詳述したように、請求項１〜４に記載の発明によれば、バンド部の強度低下を防止し、且つ同バンド部の形成位置を変更することなく同バンド部の結束方向を自由に設定することができる。
【００４８】
また、バンド部の強度低下を確実に防止することができる。
請求項２に記載の発明によれば、バンド部と電装品装着ブロックとによって形成される閉ループの形状を任意に設定することができる。
【００４９】
請求項３に記載の発明によれば、バンド部によって結束保持された電線に過剰な緊締力が加わってしまうのを防止することができる。
【図面の簡単な説明】
【図１】本発明を具体化した第１実施形態の電気接続箱の斜視図。
【図２】同実施形態の電気接続箱の平面図。
【図３】同実施形態の電気接続箱の裏面図。
【図４】（ａ）は同実施形態において、バンド部の屈曲角度と係合部の形成箇所との関係を示すための概略平面図、（ｂ）は係合部を拡大して示す概略裏面図。
【図５】同実施形態の電気接続箱の一部を拡大して示す裏面図。
【図６】（ａ）は図５のＡ−Ａ線断面図、（ｂ）は図５のＢ−Ｂ線断面図。
【図７】（ａ）は図５のＢ−Ｂ線断面においてバンド部との係合状態を示す断面図、（ｂ）は図５のＣ−Ｃ線断面においてバンド部との係合状態を示す断面図。
【図８】同実施形態の電気接続箱においてバンド部による電線の結束状態を示す裏面図。
【図９】（ａ）は図８のＤ−Ｄ線断面図、（ｂ）は同実施形態との比較例を示す断面図。
【図１０】図５のＡ−Ａ線断面において同実施形態との比較例を示す図７（ａ）と同等の断面図。
【図１１】第２実施形態の電気接続箱の平面図。
【図１２】同実施形態において、バンド部に形成されたヒンジ部とバンド部とがなす角度と、係合部の形成箇所との関係を示すための概略平面図。
【図１３】同実施形態の電気接続箱において、バンド部による電線の結束状態を示す裏面図。
【図１４】他の実施形態のバンド部の一部を拡大して示す斜視図。
【図１５】他の実施形態のバンド部を示す図９（ａ）と同等の断面図。
【図１６】従来の電気接続箱の平面図。
【図１７】従来の電気接続箱において、バンド部による電線の結束状態を示す裏面図。
【図１８】図１７のＥ−Ｅ線断面図。
【符号の説明】
１…電気接続箱、２…ブロック本体、２ａ…部品取付面、２ｂ…側面、３…バンド部、４…基端部、５…先端部、６…係止部としての凹部、７…ストッパ部、８，２１…ヒンジ部、９…屈曲部、１１…部品装着部、１１ａ…部品装着面、１２…電線装着部、１３…係合部、１３ａ…貫通孔、１３ｂ…係合突部、１４…電線、１５…電気部品。
【図１】
0003757780.tif 000002
【図２】
0003757780.tif 000003
【図３】
0003757780.tif 000004
【図４】
0003757780.tif 000005
【図５】
0003757780.tif 000006
【図６】
0003757780.tif 000007
【図７】
0003757780.tif 000008
【図８】
0003757780.tif 000009
【図９】
0003757780.tif 000010
【図１０】
0003757780.tif 000011
【図１１】
0003757780.tif 000012
【図１２】
0003757780.tif 000013
【図１３】
0003757780.tif 000014
【図１４】
0003757780.tif 000015
【図１５】
0003757780.tif 000016
【図１６】
0003757780.tif 000017
【図１７】
0003757780.tif 000018
【図１８】
0003757780.tif 000019